(57)【要約】      （修正有）【課題】始動用コンデンサや運転用コンデンサを取り付けてもサイズが大きくなるのを防止可能であること、および取り付け工数の増大を防ぐこと、の少なくとも１つを達成可能な電動巻上機を提供する。【解決手段】電動巻上機１０は、単相交流電力で駆動されるモータ２１と、円筒状のモータハウジングと、始動用コンデンサと、運転用コンデンサと、始動用コンデンサ切離しスイッチと、モータ２１の作動を制御すると共に制御ハウジング５１に覆われている制御ユニット５０と、始動用コンデンサを収納する小径筒状部、運転用コンデンサを収納する大径筒状部および始動用コンデンサ切離しスイッチを収納する大径筒状部とが横一列に連続する状態で一体的に設けられ、モータハウジング外周に各筒状部の向きが回転軸と平行な向きで取り付けられる収納ケースと、を備えている。【選択図】図１
2018154465.tif 000002
【特許請求の範囲】
【請求項１】
電動巻上機の本体に設けられ、単相交流電力によって駆動されると共に、主巻線および補助巻線を有するモータと、
前記モータの外周側に円筒状に設けられているモータハウジングと、
前記モータの前記補助巻線に電気的に直列に接続される始動用コンデンサと、
前記モータの前記補助巻線に電気的に直列に接続され、かつ前記始動用コンデンサと電気的に並列に接続される運転用コンデンサと、
前記モータの始動後に前記補助巻線と前記始動用コンデンサの電気的接続、または前記始動用コンデンサと単相交流電力との電気的接続を切り離す始動用コンデンサ切離しスイッチと、
前記モータの作動を制御すると共に、制御ハウジングに覆われている制御ユニットと、
前記始動用コンデンサを収納する第１筒状部、前記運転用コンデンサを収納する第２筒状部および前記始動用コンデンサ切離しスイッチを収納する第３筒状部とが横一列に連続する状態で一体的に設けられ、前記モータハウジングの外周に前記各筒状部の向きが回転軸と平行な向きに取り付けられている収納ケースと、
を備えることを特徴とする電動巻上機。
【請求項２】
前記第１筒状部は、前記第２筒状部よりも小径に設けられると共に、前記第１筒状部は、前記第２筒状部と前記第３筒状部の間に設けられている、
ことを特徴とする請求項１記載の電動巻上機。
【請求項３】
前記第２筒状部および前記第３筒状部は、前記第１筒状部よりも前記制御ハウジングの前記第１外壁面から離れる向きに突出することで、前記第１外壁面側での前記第２筒状部および前記第３筒状部の突出を抑制する、
ことを特徴とする請求項２記載の電動巻上機。
【請求項４】
前記始動用コンデンサは１つまたは２つ設けられていて、
前記始動用コンデンサが１つのみ設けられる場合には、前記第１筒状部は１つのみ設けられていると共に、該第１筒状部を構成する外周壁部のいずれかの部位には、２つの前記第１筒状部を有する前記収納ケースから１つの前記第１筒状部を取り除くように切断後に接合した接合部を有している、
ことを特徴とする請求項２または３記載の電動巻上機。
【請求項５】
前記収納ケースには、２つの前記第１筒状部の除去に相当する距離を隔てて一対の切断ガイドが設けられていて、
前記始動用コンデンサが２つ設けられている場合には、前記切断ガイドでの切断を行わない状態でそれぞれの前記始動用コンデンサが２つの前記第１筒状部にそれぞれ収納されていて、
前記始動用コンデンサが１つのみ設けられている場合には、前記切断ガイドに沿った切断後に前記接合部を形成した状態で１つのみの前記始動用コンデンサが１つのみの前記第１筒状部に収納されている、
ことを特徴とする請求項４記載の電動巻上機。
【発明の詳細な説明】
【技術分野】
【０００１】
本発明は、荷揚げ作業に用いられる電動巻上機に関する。
【背景技術】
【０００２】
モータの駆動力を利用して荷を昇降させる電動巻上機としての電気チェーンブロックでは、一般的に、３相誘導モータが用いられている。しかしながら、電気チェーンブロックの中には、単相誘導モータを用いるニーズも存在する。このような単相誘導モータを用いた電気チェーンブロックとしては、たとえば特許文献１に示すものがある。
【０００３】
特許文献１に開示の電気チェーンブロックは、単相モータ（単相誘導モータ）と、その単相モータを始動させる際に作動する始動コンデンサ（始動用コンデンサ）と、単相モータを始動させる際と運転している際に作動するラン用コンデンサ（運転用コンデンサ）とを備えている。
【先行技術文献】
【特許文献】
【０００４】
【特許文献１】特開平６−０４０６９６号公報
【発明の概要】
【発明が解決しようとする課題】
【０００５】
ところで、特許文献１に開示の電気チェーンブロックのように、電気チェーンブロック用の始動用コンデンサと、運転用コンデンサは、大きな電流を扱うので、そのサイズも大きなものとなる。したがって、始動用コンデンサおよび運転用コンデンサを電気チェーンブロックに取り付ける場合、そのサイズが大きくなってしまう。すなわち、単相誘導モータを用いる電気チェーンブロックでは、単相誘導モータの大きさが３相誘導モータと同じであっても、始動用コンデンサや運転用コンデンサを取り付ける分だけ、サイズが大きくなってしまう、という問題がある。
【０００６】
また、単相誘導モータの始動時に必要なトルクが大きいと、始動時のコンデンサ容量も大きいものが必要となる。
【０００７】
本発明は上記の事情に鑑みなされたもので、始動用コンデンサや運転用コンデンサを取り付けた場合でもサイズが大きくなるのを防止することができること、および始動用コンデンサや運転用コンデンサの取り付け工数の増大を防ぐこと、の少なくとも１つを達成可能な電動巻上機を提供することを目的とする。
【課題を解決するための手段】
【０００８】
上記課題を解決するために、本発明の第１の観点によると、電動巻上機の本体に設けられ、単相交流電力によって駆動されると共に、主巻線および補助巻線を有するモータと、モータの外周側に円筒状に設けられているモータハウジングと、モータの補助巻線に電気的に直列に接続される始動用コンデンサと、モータの補助巻線に電気的に直列に接続され、かつ始動用コンデンサと電気的に並列に接続される運転用コンデンサと、モータの始動後に補助巻線と始動用コンデンサの電気的接続、または始動用コンデンサと単相交流電力との電気的接続を切り離す始動用コンデンサ切離しスイッチと、モータの作動を制御すると共に、制御ハウジングに覆われている制御ユニットと、始動用コンデンサを収納する第１筒状部、運転用コンデンサを収納する第２筒状部および始動用コンデンサ切離しスイッチを収納する第３筒状部とが横一列に連続する状態で一体的に設けられ、モータハウジングの外周に前記各筒状部の向きが回転軸と平行な向きに取り付けられている収納ケースと、を備えることを特徴とする電動巻上機が提供される。
【０００９】
また、本発明の他の側面は、上述の発明において、第１筒状部は、第２筒状部よりも小径に設けられると共に、第１筒状部は、第２筒状部と第３筒状部の間に設けられている、ことが好ましい。
【００１０】
さらに、本発明の他の側面は、上述の発明において、第２筒状部および第３筒状部は、第１筒状部よりも制御ハウジングの第１外壁面から離れる向きに突出することで、第１外壁面側での第２筒状部および第３筒状部の突出を抑制する、ことが好ましい。
【００１１】
また、本発明の他の側面は、上述の発明において、始動用コンデンサは１つまたは２つ設けられていて、始動用コンデンサが１つのみ設けられる場合には、第１筒状部は１つのみ設けられていると共に、該第１筒状部を構成する外周壁部のいずれかの部位には、２つの第１筒状部を有する収納ケースから１つの第１筒状部を取り除くように切断後に接合した接合部を有している、ことが好ましい。
【００１２】
さらに、本発明の他の側面は、上述の発明において、収納ケースには、２つの第１筒状部の除去に相当する距離を隔てて一対の切断ガイドが設けられていて、始動用コンデンサが２つ設けられている場合には、切断ガイドでの切断を行わない状態でそれぞれの始動用コンデンサが２つの第１筒状部にそれぞれ収納されていて、始動用コンデンサが１つのみ設けられている場合には、切断ガイドに沿った切断後に接合部を形成した状態で１つのみの始動用コンデンサが１つのみの第１筒状部に収納されている、ことが好ましい。
【発明の効果】
【００１３】
本発明によると、電動巻上機において、始動用コンデンサや運転用コンデンサを取り付けた場合でもサイズが大きくなるのを抑制することができること、および始動用コンデンサや運転用コンデンサの取り付け工数の増大を防ぐこと、の少なくとも１つを達成可能となる。
【図面の簡単な説明】
【００１４】
【図１】本発明の一実施の形態に係る電気チェーンブロックの本体の全体構成を示す斜視図である。
【図２】図１に示す電気チェーンブロックのモータハウジングを示す斜視図であり、蓋部材が取り除かれた状態を示す図である。
【図３】図１に示す電気チェーンブロックのうち、ギヤユニットおよびボディ付近の構成を示す分解斜視図である。
【図４】図１に示す電気チェーンブロックのうち、モータユニットおよびコンデンサ収納部付近の構成を示す側断面図である。
【図５】図１に示す電気チェーンブロックのうち、収納ケースの構成を示す斜視図である。
【図６】図１に示す電気チェーンブロックのうち、収納ケースを底部とは反対側から見た状態を示す斜視図である。
【図７】図１に示す電気チェーンブロックのうち、金型を用いて製作される４連の筒状部分を有する収納ケースの構成を示す正面図である。
【図８】図７に示す収納ケースから１つの小径筒状部を除去するイメージを示す図である。
【図９】図８において１つの小径筒状部を除去した後に、仕切り壁同士を接合して作成された３連の筒状部分を有する収納ケースの構成を示す正面図である。
【図１０】他の形態に係り、金型を用いて製作される４連の筒状部分を有する収納ケースの構成を示す正面図である。
【図１１】他の形態に係り、図１０に示す収納ケースから１つの小径筒状部を除去するイメージを示す図である。
【図１２】他の形態に係り、図１１において１つの小径筒状部を除去した後に、仕切り壁同士を接合して作成された３連の筒状部分を有する収納ケースの構成を示す正面図である。
【発明を実施するための形態】
【００１５】
以下、本発明の一実施の形態に係る、電動巻上機としての電気チェーンブロック１０について、図面を参照しながら説明する。なお、以下の説明においては、必要に応じてＸＹＺ直交座標系を用いて説明することとする。ＸＹＺ直交座標系においてＸ方向とは、図１における本体１１の長手方向および図３において駆動軸２３の軸方向とし、Ｘ１側は図１における右側を指し、Ｘ２側はそれとは逆の左側を指す。また、Ｚ方向とは、電気チェーンブロック１０が吊り下げられる方向を指し、Ｚ１側は図１および図２における紙面奥側を指し、Ｚ２側はそれとは逆の紙面手前側を指す。また、Ｙ方向は、Ｘ方向およびＺ方向に直交する方向を指し、Ｙ１側は図２における左上側を指し、Ｙ２側はそれとは逆の右下側を指す。
【００１６】
本実施の形態における電気チェーンブロック１０は、本体が上部に取り付けられた状態で荷を昇降させる、といった使用方法（通常吊り）の他に、ロードチェーンの先端に取り付けられたフックが上部の係止部位に掛けられた状態で、荷と共に本体を昇降させる、といった使用方法（逆さ吊り）を用いることができる。逆さ吊りは、たとえば、舞台やコンサート、イベント会場等のような、天井等に本体を持ち上げて取り付けるのが困難な場所で、照明や音響などの機材を吊り上げ設置する作業に好適となっている。
【００１７】
＜電気チェーンブロック１０の全体構成について＞
図１は、電気チェーンブロック１０の本体１１の全体構成を示す斜視図である。図１に示すように、電気チェーンブロック１０は、モータユニット２０と、ロードシーブ配置部３０と、減速機構４０と、制御ユニット５０と、コンデンサ収納部６０等を備えている。
【００１８】
モータユニット２０は、モータ２１を備えている。図２は、モータ２１のモータハウジング２２を示す斜視図であるが、蓋部材が取り除かれた状態となっている。図２に示すように、モータ２１は、円筒形状のアルミダイカスト製のモータハウジング２２で覆われているが、その円筒形状のモータハウジング２２には、後述するコンデンサ収納部６０が連結されている。本実施の形態では、モータ２１は、単相誘導モータとなっており、一般家庭に供給されている単相の交流電源で作動可能となっている。なお、モータハウジング２２は、モータ２１の一部（モータ２１と一体的）であっても良く、モータ２１とは別体的なものであっても良い。
【００１９】
図３は、図１に示す電気チェーンブロック１０のうち、ギヤユニットおよびボディ付近の構成を示す分解斜視図である。上述したモータ２１で発生した駆動力は、駆動軸２３を介して減速機構４０に伝達される。図３に示すように、減速機構４０は、複数のギヤ部材４１を備えていて、それらのギヤ部材４１によって、駆動軸２３の回転が減速されてロードシーブ部材３１に伝達される。
【００２０】
ロードシーブ配置部３０には、上述したロードシーブ部材３１が配置されていて、そのロードシーブ部材３１には、図示を省略するロードチェーンが掛け回されている。そして、ロードチェーンを巻き上げまたは巻き下げることで、図示を省略するフックと、電気チェーンブロック１０の本体１１との間の距離を相対的に変化させる。それにより、通常吊りの場合には、上方に位置する本体１１に対して荷を吊り上げることができる。また、逆さ吊りの場合には、荷を本体１１と共に吊り上げることができる。ロードチェーンに代えてロープやベルトを用いるウインチ（電動巻上機に対応）の場合には、ロードシーブに代えて巻き取りドラム等、適宜吊り索の巻き上げ下げに適した部材が具備される。
【００２１】
また、電気チェーンブロック１０には、モータ２１の駆動を制御するための制御ユニット５０も設けられている。本実施の形態では、制御ユニット５０は、減速機構４０に隣接する部位に取り付けられている。この制御ユニット５０は、矩形（箱型）の制御ハウジング５１によって覆われている。
【００２２】
＜コンデンサおよび切離しスイッチの取り付け＞
また、図１および図２に示すように、電気チェーンブロック１０には、コンデンサ７１，７２を収納するためのコンデンサ収納部６０が設けられている。図４は、モータユニット２０およびコンデンサ収納部６０付近の構成を示す側断面図である。図４に示すように、コンデンサ収納部６０の内部空間Ｐには、コンデンサ７１，７２および始動用コンデンサ切離しスイッチ８０（以下、切離しスイッチと称呼する）が収納されている。本実施の形態では、コンデンサ７１，７２には、始動用コンデンサ７１と、運転用コンデンサ７２とが存在する。
【００２３】
モータ２１には、主巻線と補助巻線が存在するが（図示省略）、コンデンサ７１，７２は互いに電気的に並列に接続され、またモータ２１の補助巻線に直列に接続され、さらにＡＣ電源に接続される。補助巻線には、主巻線の電流に対し位相をコンデンサで変位させた電流が供給されることで回転磁界を発生させ、それによってモータ２１の回転方向を制御すると共に始動トルクを大きくしている。なお、始動トルクを大きくする必要がある場合、モータ２１の容量を大きくするとともにコンデンサ７１，７２の容量を大きくする必要があるが、本実施の形態では始動用コンデンサ７１を２つを用いて、電気的に並列に接続することによって、電気チェーンブロックのサイズが大きくなることを抑制している。
【００２４】
また、運転用コンデンサ７２は、始動用コンデンサ７１に並列に接続される。この運転用コンデンサ７２は、始動時には始動用コンデンサ７１と共に始動トルクの増大に寄与し、モータ２１の始動後連続運転時には、モータ２１の力率改善のために用いられ、電流値を低下させることもできる。なお、始動用コンデンサ７１は始動時短時間のみの通電となるため負荷時間率が低い（５％程度）ものでよく、一方、運転用コンデンサ７２は、負荷時間率が高い（連続定格）ものを用いる。
【００２５】
本実施の形態では、たとえば、モータ２１０．５ｋｗの場合には始動用コンデンサを１５０μＦ、運転用コンデンサを５５μＦのものを用い、始動時のコンデンサ容量を２０５μＦとし、モータ２１が１．１ｋｗの場合には、始動用コンデンサ７１に１５０μＦのものを２つ、容量５５μＦの運転用コンデンサ７２を１つ用いて、始動時のコンデンサ容量を３５５μＦとしている。また、始動後所定時間経過後には、始動用コンデンサ７１を切り離し、０．５ｋｗ、１．１ｋｗのモータ２１は共に、容量５５μＦの１つの運転用コンデンサ７２で運転するようにしている。運転用コンデンサ７２は０．５ｋｗ、１．１ｋｗのモータ２１で共通のものを使用する。また、始動用コンデンサ７１は０．５ｋｗと１．１ｋｗのモータ２１に使用する場合においても、運転用コンデンサ７２よりも小径のコンデンサとなるようにしている。また、上記のように運転用コンデンサ７２を共通のものとしていることから、コンデンサ７１，７２の種類を増やすことがなく、製造コスト低減にも寄与している。なお、図４においては、運転用コンデンサ７２を一端側に配置されている。
【００２６】
また、始動用コンデンサ７１と運転用コンデンサ７２に加えて、内部空間Ｐには、切離しスイッチ８０も収納されている。切離しスイッチ８０は、始動用コンデンサ７１に電気的に直列に接続されている。この切離しスイッチ８０は、モータ２１の始動後に、補助巻線と始動用コンデンサ７１の接続、または始動用コンデンサ７１と単相交流電力との接続を、所定の条件で切り離すものであれば、どのようなものでも良い。そのような所定の条件としては、たとえば、モータ２１の始動後に所定時間経過後、あるいはモータ２１が所定の回転数（たとえば定格回転数の７５％）以上に達したら閉から開へと切り替わるものがある。
【００２７】
ところで、現状の単相誘導モータにおいては、用いられる始動用コンデンサ７１、運転用コンデンサ７２および切離しスイッチ８０は、図４に示すように、サイズ的に比較的大きいものとなっている。したがって、単相誘導モータに対して、始動用コンデンサ７１、運転用コンデンサ７２および切離しスイッチ８０を単相誘導モータに取り付けると、その分だけ、サイズが大きくなっている。
【００２８】
この取り付けにおいては、始動用コンデンサ７１、運転用コンデンサ７２および切離しスイッチ８０のそれぞれを、固定手段を介して単相誘導モータの側面や、単相誘導モータを覆うハウジングの側面等に取り付けることが考えられる。この場合、これらの固定のために多くの工数が発生する。
【００２９】
これに対して、本実施の形態では、図４に示すような、収納ケース９０Ａ１に始動用コンデンサ７１、運転用コンデンサ７２および切離しスイッチ８０を収納している。そして、これらが収納された状態で、収納ケース９０Ａ１をモータハウジング２２の外周面側に取り付けている。すなわち、始動用コンデンサ７１、運転用コンデンサ７２および切離しスイッチ８０を、一括して、円筒形状のモータハウジング２２の外周面側に取り付けている。
【００３０】
図５は、収納ケース９０Ａ１の構成を示す斜視図である。図６は、収納ケース９０Ａ１を底部９２ａ，９３ａとは反対側から見た状態を示す斜視図である。
【００３１】
図５および図６に示すように、収納ケース９０Ａ１は、所定の厚みの外周壁部９１が連続することで、筒状部分が連続した形態に設けられている。また、これらの筒状部分には、外周壁部９１の他に底部９２ａ，９３ａも存在している。それにより、収納ケース９０Ａ１は、有底の筒状部分が連続した形態に設けられている。
【００３２】
この収納ケース９０Ａ１には、始動用コンデンサ７１を収納するための一対の小径筒状部９２と、運転用コンデンサ７２および切離しスイッチ８０を収納するための一対の大径筒状部９３とが設けられている。図５および図６に示す構成では、収納ケース９０Ａ１は、小径筒状部９２と大径筒状部９３とが４つ連続して並んだ配置となっている。なお、図５および図６から明らかなように、小径筒状部９２は大径筒状部９３よりも小径となっている。また、小径筒状部９２は大径筒状部９３よりも長さが短くなっている。しかしながら、小径筒状部９２と大径筒状部９３の長さが同等であっても良い。
【００３３】
なお、一対の小径筒状部９２は第１筒状部に対応する。また、一対の大径筒状部９３のうちいずれか一方は第２筒状部に対応し、いずれか他方は第３筒状部に対応する。
【００３４】
また、収納ケース９０Ａ１は、容易に変形可能な材質から形成されている。そのような材質としては、天然または合成ゴムのようなエラストマーがあり、そのようなエラストマーを用いる場合には、収納ケース９０Ａ１は、絶縁性にも優れたものとなる。また、収納ケース９０Ａ１がエラストマーを材質とする場合には、防振および防音の効果を発揮させることも可能となる。ただし、底部の位置を図５，６のように段差をつける方が、コンデンサの配線スペースを段差分だけ大きく設けることができ、配線作業も容易となり、好ましい態様である。
【００３５】
また、４連続の筒状部分が並んでいる収納ケース９０Ａ１は、次のように構成されている。すなわち、図５および図６に示すように、一対の小径筒状部９２は、２つの大径筒状部９３の間に挟み込まれた位置に配置されている。したがって、一対の小径筒状部９２の間には凹部９４ａが存在し、また小径筒状部９２と大径筒状部９３の間にも、凹部９４ｂ，９４ｃがそれぞれ設けられている。このような凹部９４ａ〜９４ｃの存在により、収納ケース９０Ａ１に収納される始動用コンデンサ７１、運転用コンデンサ７２および切離しスイッチ８０の位置決めを行うことができる。
【００３６】
また、図４および図６に示すように、収納ケース９０Ａ１には、仕切り壁９５も設けられている。仕切り壁９５は、たとえば特定の小径筒状部９２を囲むように設けられている。それにより、始動用コンデンサ７１等の位置決め性を向上させることができる。しかしながら、仕切り壁９５は、一対の小径筒状部９２の間に存在する構成としても良い。
【００３７】
それぞれの小径筒状部９２の底部９２ａには、配線や接続用の端子を通すための窓部９２ｂが設けられている。同様に、それぞれの大径筒状部９３の底部９３ａにも、配線や接続用の端子を通すための窓部９３ｂが設けられている。図５に示す構成では、窓部９２ｂは、底部９２ａを矩形に切り欠くことによって形成されている。また、窓部９３ｂも、底部９３ａを矩形に切り欠くことによって形成されている。しかしながら、窓部９２ｂ，９３ｂは、矩形以外の形状に切り欠いても良い。また、小径筒状部９２と大径筒状部９３の窓部９２ｂ，９３ｂが、互いに連なる構成としても良い。
【００３８】
この収納ケース９０Ａ１の取り付けにおいては、図４に示すように、固定用板１００（金属板、樹脂板など）を用いて、収納ケース９０Ａ１をモータハウジング２２に固定している。この場合、ネジやナット等の締結手段Ｓを用いて、収納ケース９０Ａ１と固定用板１００をモータハウジング２２に固定するようにしても良い。この場合、締結手段Ｓが固定用板１００を貫通しつつ、収納ケース９０Ａ１に達する構成としても良い。
【００３９】
また、たとえば固定用板１００をモータハウジング２２にネジ等を介して固定すると共に、収納ケース９０Ａ１を固定用板１００に対して結束バンドを介して固定するようにしても良い。この場合、上述した凹部９４ａ〜９４ｃの少なくとも２つ（凹部９４ｂと凹部９４ｂを含むことが好ましい）に、結束バンドを位置させて、固定用板１００に締結することが好ましい。
【００４０】
ここで、始動用コンデンサ７１、運転用コンデンサ７２および切離しスイッチ８０が収納された収納ケース９０Ａ１を、固定用板１００を介してモータハウジング２２に取り付ける場合、その位置関係は、図４に示すものとなっている。すなわち、収納ケース９０Ａ１のうちモータハウジング２２側（Ｙ２側）の部位は、モータハウジング２２の円弧形状に沿わせることが可能である。したがって、収納ケース９０Ａ１のうち、大径筒状部９３は、小径筒状部９２よりも幅方向（Ｙ方向）の他方側（Ｙ２側）に突出させる状態とすることができる。
【００４１】
一方、電気チェーンブロック１０には、省スペース化の要請もある。そのような要請下では、コンデンサ収納部６０は、制御ユニット５０よりも幅方向（Ｙ方向）の一方側に突出させ難くなる。特に、現状の３相誘導モータを用いた電気チェーンブロックでは、制御ユニット５０の制御ハウジング５１の第１外壁面５２が、幅方向（Ｙ方向）の一方側（Ｙ１側）に最も突出している位置である。したがって、不使用時の電気チェーンブロック１０の収納性等を考慮すると、コンデンサ収納部６０は、第１外壁面５２に対して幅方向（Ｙ方向）の一方側（Ｙ１側）に同程度の突出とするか、または第１外壁面５２よりも幅方向（Ｙ方向）の一方側（Ｙ１側）に突出させない構成とするのが望ましい。
【００４２】
このような点に鑑みて、コンデンサ収納部６０は、制御ユニット５０の第１外壁面５２に対して、幅方向（Ｙ方向）の一方側（Ｙ１側）に同程度以下の突出寸法となるように設定している。それにより、不使用時の電気チェーンブロック１０の収納性を損なわず、良好な収納性を維持している。なお、制御ハウジング５１の第１外壁面５２とは、制御ハウジング５１の外壁面のうち、図１や図４に示すように、モータ２１の駆動軸２３に対して収納ケース９０Ａ１と同じ側（Ｙ１側）に位置している外壁面である。
【００４３】
＜３連の筒状部分を有する収納ケースの製作について＞
また、本実施の形態の電気チェーンブロック１０では、用いられる始動用コンデンサ７１が１つのみの場合もある。その場合、３連の筒状部分を有する収納ケース９０Ｂ１を用いることが好ましい。すなわち、図４〜図６に示すような、４連の筒状部分を有する収納ケース９０Ａ１では、サイズ的に大きくなってしまい、電気チェーンブロック１０の大型化を招いてしまう。
【００４４】
一方、４連の筒状部分を有する収納ケース９０Ａ１と、３連の筒状部分を有する収納ケース９０Ｂ１を、それぞれ別途の射出成型用の金型を用いて製作する場合には、必要となる金型が少なくとも２種類となるので、その分だけ、金型製作のコストが増大してしまう。特に、３連の筒状部分を有する収納ケース９０Ｂ１の製作個数が少ない場合には、金型製作のためのコストが大きな負担となってしまう。
【００４５】
そこで、本実施の形態では、収納ケース９０Ｂ１の製作は、次のように行っている。すなわち、先ずは図７に示すように、収納ケース９０Ａ１を製作する。その後に、図８に示すように、特定の小径筒状部９２のうち、円弧状の外周部分を切り落とす（切断する）。すると、面状の仕切り壁９５が外部に露出する状態となる。そして、一対の仕切り壁９５同士を、たとえば接着剤等を用いて接合する。以下の説明では、このように接合された部分を接合部９８と称呼する。かかる接合部９８の形成により、図９に示すような、１つの小径筒状部９２と、２つの大径筒状部９３を有する収納ケース９０Ｂ１が作製される。このとき、小径筒状部９２は、２つの大径筒状部９３の間に位置する状態となる。なお、切断を行ったときの切断部位を、切断箇所９６と称呼する。
【００４６】
ここで、切断箇所９６を形成する場合、切断のガイドとなる部分が存在すると、切断が行い易くなるので好ましい。本実施の形態では、切断のガイドとなる切断ガイド９７は、仕切り壁９５が位置する外周壁部９１の付け根部分となっている。
【００４７】
＜他の形態に係る３連の筒状部分を有する収納ケースの製作について＞
しかしながら、３連の収納ケースの製作は、図７〜図９に限られるものではない。図１０〜図１２に基づき、他の形態に係る収納ケース９０Ｂ２の製作について説明する。先ず、図１０に示すように、４連の筒状部分を有する収納ケース９０Ａ２を製作する。このとき、製作される収納ケース９０Ａ２においては、仕切り壁９５は１つしか存在しておらず、その仕切り壁９５は、一対の小径筒状部９２の間に配置されている。
【００４８】
次に、図１１に示すように、収納ケース９０Ａ２のうち、仕切り壁９５を含む中央部分の部位を切り落とす。このとき、それぞれの小径筒状部９２のうち、Ｚ方向に沿いつつ、Ｙ方向における寸法が最も大きくなる部位で、収納ケース９０Ａ２を切断する。すると、小径筒状部９２の切断により、半円筒状の部位が一対存在する状態となる。なお、図１１においても、切断ガイド９７が存在することが好ましく、その場合には、外周壁部９１の切断を容易に行うことができる。
【００４９】
次に、図１１に示す切断箇所９６同士を、たとえば接着材を用いて接合する。それにより、図１２に示すように、１つの小径筒状部９２と、２つの大径筒状部９３を有する収納ケース９０Ｂ２が作製される。このときも、小径筒状部９２は、２つの大径筒状部９３の間に位置する状態となる。なお、図１２から明らかなように、収納ケース９０Ｂ２には、図９に示す収納ケース９０Ｂ１に存在するような、仕切り壁９５が存在していない。そのため、収納ケース９０Ｂ１は、Ｚ方向の寸法を低減することが可能となっている。また、収納ケース９０Ｂ２では、モータハウジング２２の外周面に沿って曲げ易い構成となっている。
【００５０】
＜効果について＞
以上のような構成の電気チェーンブロック１０によると、単相交流電力によって駆動されると共に主巻線および補助巻線を有するモータ２１の外周側には、円筒状のモータハウジング２２が設けられている。また、モータ２１の作動を制御すると共に、矩形の制御ハウジング５１に覆われている制御ユニット５０も設けられている。さらに、始動用コンデンサ７１、運転用コンデンサ７２、および切離しスイッチ８０が設けられ、これらは収納ケース９０Ａ１，９０Ａ２，９０Ｂ１，９０Ｂ２に収納される。このとき、始動用コンデンサ７１は小径筒状部９２（第１筒状部）に収納され、また運転用コンデンサ７２は大径筒状部９３（第２筒状部）に収納され、切離しスイッチ８０は大径筒状部９３（第３筒状部）に収納される。
【００５１】
また、収納ケース９０Ａ１，９０Ａ２，９０Ｂ１，９０Ｂ２は、小径筒状部９２と大径筒状部９３とは横一列に連続する状態で一体的に設けられている。また、収納ケース９０Ａ１，９０Ａ２は、モータハウジング２２の外周に各筒状部の筒の向きがモータ２１の回転軸と平行となるように取り付けられている。
【００５２】
このため、始動用コンデンサ７１や運転用コンデンサ７２の取り付けは、円筒状のモータハウジング２２の外周側に取り付けられる。したがって、電気チェーンブロック１０に始動用コンデンサ７１や運転用コンデンサ７２を取り付けた場合において、モータハウジング２２に始動用コンデンサ７１や運転用コンデンサ７２が取り付けられない場合と比較すると、電気チェーンブロック１０のサイズが大きくなるのを防止することが可能となる。このため、電気チェーンブロック１０は、現状の３相誘導モータのような、始動用コンデンサ７１、運転用コンデンサ７２および切離しスイッチ８０を用いない構成と同様のサイズとすることが可能となり、特に収納・保管箱を共通化することができる。
【００５３】
なお、収納ケース９０Ａ１，９０Ａ２は、図４に示すように、制御ハウジング５１の第１外壁面５２よりも駆動軸２３（回転軸）から離れる向きに突出しない状態で取り付けることもできる。この場合には、電気チェーンブロック１０のサイズが大きくなるのを一層防止可能となる。
【００５４】
また、始動用コンデンサ７１、運転用コンデンサ７２および切離しスイッチ８０を電気チェーンブロック１０に取り付ける場合、収納ケース９０Ａ１，９０Ａ２，９０Ｂ１，９０Ｂ２を用いている。このため、始動用コンデンサ７１、運転用コンデンサ７２および切離しスイッチ８０を一括して、電気チェーンブロック１０に取り付けることができる。したがって、始動用コンデンサ７１、運転用コンデンサ７２および切離しスイッチ８０をそれぞれ別個に取り付ける場合と比較して、取り付け工数を増大させずに済む。
【００５５】
また、本実施の形態では、小径筒状部９２（第１筒状部）は、大径筒状部９３（第２筒状部）よりも小径に設けられている。加えて、小径筒状部９２（第１筒状部）は、２つの大径筒状部９３の間（第２筒状部と第３筒状部の間）に設けられている。
【００５６】
このため、収納ケース９０Ａ１，９０Ａ２，９０Ｂ１，９０Ｂ２においては、筒状部分を横一列に並べた並びの少なくとも一端側に、大径筒状部９３が位置する。したがって、収納ケース９０Ａ１，９０Ａ２，９０Ｂ１，９０Ｂ２を円筒状のモータハウジング２２の外周に沿わせ易くなり、その際に、小径筒状部９２が幅方向（Ｙ方向）の一方側（Ｙ１側）に突出するのを抑えることができる。
【００５７】
さらに、本実施の形態では、大径筒状部９３（第２筒状部および第３筒状部）は、小径筒状部９２（第１筒状部）よりも制御ハウジング５１の第１外壁面５２から離れる向き（Ｙ２に向かう向き）に突出することで、第１外壁面５２側（Ｙ１側）での大径筒状部９３（第２筒状部および第３筒状部）の突出を抑制している。したがって、図４に示すように、大径の運転用コンデンサ７２および切離しスイッチ８０を収納する大径筒状部９３を、小径筒状部９２よりも幅方向（Ｙ方向）の他方側（Ｙ２側）に突出させることができる。それにより、大径筒状部９３は、小径筒状部９２よりも幅方向（Ｙ方向）の一方側（Ｙ２側）に突出させない構成とすることができるので、電気チェーンブロック１０のサイズが大きくなるのを防止することが可能となる。
【００５８】
また、本実施の形態では、始動用コンデンサ７１は、１つまたは２つ設けられている。そして、始動用コンデンサ７１が１つのみ設けられる場合には、収納ケース９０Ａ１，９０Ａ２，９０Ｂ１，９０Ｂ２には、小径筒状部９２は１つのみ設けられる。これと共に、小径筒状部９２を構成する外周壁部９１のいずれかの部位には、２つの小径筒状部９２を有する収納ケース９０Ａ１，９０Ａ２から、１つの小径筒状部９２を取り除くように切断後に接合した接合部９８を有している。
【００５９】
このため、４連の筒状部分を有する収納ケース９０Ａ１，９０Ａ２と、３連の筒状部分を有する収納ケース９０Ｂ１，Ｂ２を、それぞれ別途の射出成型用の金型を用いて製作する必要がなくなる。すなわち、４連の筒状部分を有する収納ケース９０Ａ１，９０Ａ２を用いて、３連の筒状部分を有する収納ケース９０Ｂ１，Ｂ２を作製するので、３連の筒状部分を有する収納ケース９０Ｂ１，Ｂ２を製作するための金型が不要となる。そのため、金型製作のコストを低減することが可能となる。
【００６０】
さらに、本実施の形態では、収納ケース９０Ａ１，９０Ａ２には、２つの小径筒状部９２の除去に相当する距離を隔てて一対の切断ガイド９７が設けられている。そして、始動用コンデンサ７１が２つ設けられている場合には、切断ガイド９７での切断を行わない状態で、それぞれの始動用コンデンサ７１が２つの小径筒状部９２にそれぞれ収納されている。また、始動用コンデンサ７１が１つのみ設けられている場合には、切断ガイド９７に沿った切断後に接合部９８を形成した状態で、１つのみの始動用コンデンサ７１が１つのみの小径筒状部９２に収納されている。
【００６１】
このため、３連の筒状部分を有する収納ケース９０Ｂ１，Ｂ２を作製する場合には、切断ガイド９７に沿って収納ケース９０Ａ１，９０Ａ２を切断し易くなる。
【００６２】
＜変形例＞
以上、本発明の各実施の形態について説明したが、本発明はこれ以外にも種々変形可能となっている。以下、それについて述べる。
【００６３】
上述の実施の形態では、収納ケース９０Ａ１，９０Ａ２，９０Ｂ１，９０Ｂ２は、エラストマーから形成されるものとしている。しかしながら、収納ケース９０Ａ１，９０Ａ２，９０Ｂ１，９０Ｂ２の材質は、エラストマーには限られない。たとえば、種々の樹脂、紙等のような繊維系素材、木材、セラミックス、金属等を用いて、収納ケース９０Ａ１，９０Ａ２，９０Ｂ１，９０Ｂ２を形成しても良い。
【００６４】
また、上述の実施の形態では、モータハウジング２２に対し、幅方向（Ｙ方向）の一方側（Ｙ１側）にコンデンサ収納部６０が設けられ、そのコンデンサ収納部６０に収納ケース９０Ａ１，９０Ａ２，９０Ｂ１，９０Ｂ２が収納されている。しかしながら、モータハウジング２２に対して、上下方向（Ｚ方向）の一方側（Ｚ１側）または他方側（Ｚ２側）にコンデンサ収納部６０が設けられる構成を採用しても良い。特に、上下方向（Ｚ方向）の他方側（Ｚ２側）では、不図示のフックが位置している。したがって、モータハウジング２２に対し、上下方向（Ｚ方向）の他方側（Ｚ２側）にコンデンサ収納部６０が設けられる構成を採用しても、サイズが大きくなるのを抑制することができる。
【００６５】
また、上述の実施の形態では、図１〜図４等に示すように、幅方向を、モータ２１の駆動軸２３（回転軸）の軸方向と直交するＹ方向としている。しかしながら、幅方向は、Ｚ方向としても良い。また、幅方向は、ＹＺ平面内の任意の方向としても良い。また、制御ハウジング５１の第１外壁面５２は平面状であっても良く、曲面状であっても良い。
【００６６】
また、上述の実施の形態では、モータハウジング２２の外周に収納ケース９０Ａ１，９０Ａ２，９０Ｂ１，９０Ｂ２の各筒状部の筒の向きがモータ２１の駆動軸２３（回転軸）と平行となるように取り付けられるものとしている。しかしながら、各筒状部の筒の向きは、モータ２１の駆動軸２３（回転軸）と平行な状態に対して、多少の誤差を含むように取り付けても良い。また、各筒状部の筒の向きは、モータ２１の駆動軸２３（回転軸）と平行な状態から多少角度が変動しても良い。
【符号の説明】
【００６７】
１０…電気チェーンブロック（電動巻上機に対応）、１１…本体、２０…モータユニット、２１…モータ、２２…モータハウジング、２３…駆動軸、３０…ロードシーブ配置部、３１…ロードシーブ部材、４０…減速機構、４１…ギヤ部材、５０…制御ユニット、５１…制御ハウジング、５２…第１外壁面、６０…コンデンサ収納部、７０…コンデンサ、７１…始動用コンデンサ、７２…運転用コンデンサ、８０…切離しスイッチ（始動用コンデンサ切離しスイッチに対応）、９０Ａ１，９０Ａ２，９０Ｂ１，９０Ｂ２…収納ケース、９２…小径筒状部（第１筒状部に対応）、９２ａ，９３ａ…底部、９２ｂ，９３ｂ…窓部、９３…大径筒状部（第２筒状部または第３筒状部に対応）、９４ａ〜９４ｃ…凹部、９５…仕切り壁、９６…切断箇所、９７…切断箇所、９８…接合部、１００…固定用板
【図１】
2018154465.tif 000003
【図２】
2018154465.tif 000004
【図３】
2018154465.tif 000005
【図４】
2018154465.tif 000006
【図５】
2018154465.tif 000007
【図６】
2018154465.tif 000008
【図７】
2018154465.tif 000009
【図８】
2018154465.tif 000010
【図９】
2018154465.tif 000011
【図１０】
2018154465.tif 000012
【図１１】
2018154465.tif 000013
【図１２】
2018154465.tif 000014